【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
入射光に応じて電荷を生成する光電変換部と、前記電荷を保持する保持部と、前記電荷に基づく信号を出力する増幅トランジスタと、前記光電変換部から前記保持部に前記電荷を転送する第１の転送トランジスタと、前記保持部から前記増幅トランジスタに前記電荷を転送する第２の転送トランジスタとを各々が有する、複数の画素を有し、
動画を構成する複数の画像を取得する複数のフレーム期間のうちの第１のフレーム期間において、第１の露光期間に生じた電荷が蓄積され、
前記第１のフレーム期間の次の第２のフレーム期間において、前記第１の露光期間とは期間の長さが異なる第２の露光期間に生じた電荷が蓄積され、
前記第１の露光期間の時間重心と前記第２の露光期間の時間重心との間隔と、前記第１のフレーム期間の時間重心と第２のフレーム期間の時間重心の間隔とは等しい
ことを特徴とする撮像装置。
【請求項２】
前記第１のフレーム期間において、前記複数の画素で同時に、前記第１の転送トランジスタが、前記第１の露光期間に生じた前記電荷を前記光電変換部から前記保持部に転送し、
前記第２のフレーム期間において、前記複数の画素で順に、前記第２の転送トランジスタが、前記第１の露光期間に生じた前記電荷を前記保持部から前記増幅トランジスタに転送し、
前記第２のフレーム期間において、前記複数の画素で順に、前記増幅トランジスタが、前記第１の露光期間に蓄積された前記電荷に基づく信号を出力する
ことを特徴とする請求項１に記載の撮像装置。
【請求項３】
前記複数の画素の各々は、前記光電変換部から前記電荷を排出するオーバーフロートランジスタをさらに有し、
前記複数の画素の前記オーバーフロートランジスタが同時にオンからオフになることにより、前記第１の露光期間又は前記第２の露光期間が開始することを特徴とする請求項１又は２に記載の撮像装置。
【請求項４】
前記複数の画素の前記第１の転送トランジスタが同時にオンからオフになることにより、前記第１の露光期間又は前記第２の露光期間が終了することを特徴とする請求項１乃至３のいずれか１項に記載の撮像装置。
【請求項５】
前記複数の画素のそれぞれで、前記第１の転送トランジスタがオフからオンになり、その後再びオフになる動作が複数回繰り返されることにより、前記第１の露光期間又は前記第２の露光期間に生じた前記電荷が、前記光電変換部から前記保持部に複数回にわたって転送され、
前記複数回の前記第１の転送トランジスタの動作のうちの最後にオフになる動作により、前記第１の露光期間又は前記第２の露光期間が終了する
ことを特徴とすることを特徴とする請求項１乃至３のいずれか１項に記載の撮像装置。
【請求項６】
前記第１の転送トランジスタがオフからオンになり、その後再びオフになる複数回の動作において、前記第１の転送トランジスタがオフになるタイミングが一定の間隔であることを特徴とする請求項５に記載の撮像装置。
【請求項７】
前記第１の露光期間又は前記第２の露光期間が開始した後に、前記複数の画素の前記第１の転送トランジスタが同時にオフからオンになり、
その後、前記複数の画素の前記第１の転送トランジスタがオンからオフになることにより前記第１の露光期間又は前記第２の露光期間が終了するまでの期間、前記複数の画素の前記第１の転送トランジスタがオンに維持されることを特徴とする請求項３に記載の撮像装置。
【請求項８】
前記複数の画素の各々は、前記光電変換部から前記電荷を排出するオーバーフロートランジスタをさらに有し、
前記複数の画素の前記オーバーフロートランジスタが同時にオンからオフになり、その後再び同時にオンになる動作が複数回繰り返されることにより、１回の露光期間が複数に分割され、
前記複数回の前記オーバーフロートランジスタの動作のうちの最初にオフになる動作により、前記第１の露光期間又は前記第２の露光期間が開始する
ことを特徴とする請求項１又は２に記載の撮像装置。
【請求項９】
前記第１の露光期間の一部において、前記複数の画素の前記光電変換部が、入射光によって生じた前記電荷を蓄積する動作と並行して、
前記複数の画素で順に、前記第２の転送トランジスタが、前記保持部の保持する前記電荷を前記増幅トランジスタに転送し、
前記複数の画素で順に、前記増幅トランジスタが、前記電荷に基づく信号を出力する
ことを特徴とする請求項１乃至８のいずれか１項に記載の撮像装置。
【請求項１０】
入射光に応じて電荷を生成する光電変換部と、前記電荷を保持する保持部と、前記電荷に基づく信号を出力する増幅トランジスタと、前記光電変換部から前記保持部に前記電荷を転送する第１の転送トランジスタと、前記保持部から前記増幅トランジスタに前記電荷を転送する第２の転送トランジスタとを各々が有する、複数の画素を有し、
動画を構成する複数の画像を取得する複数のフレーム期間のうちの第１のフレーム期間において、第１の露光期間に生じた電荷が蓄積され、
それぞれ所定の期間に生じた電荷を蓄積する複数の蓄積動作を行い、
前記複数の蓄積動作は、互いに前記所定の期間の異なる第１の蓄積動作及び第２の蓄積動作を少なくとも含み、
前記複数の蓄積動作において、前記所定の期間の時間重心が一定の間隔である
ことを特徴とする撮像装置。
【請求項１１】
前記複数の蓄積動作のそれぞれにおける前記時間重心は、前記所定の期間の開始時刻と前記所定の期間の終了時刻との中間の時刻である
ことを特徴とする請求項１０に記載の撮像装置。
【請求項１２】
前記開始時刻に、前記複数の画素の前記第１の転送トランジスタが同時にオンからオフになる
ことを特徴とする請求項１１に記載の撮像装置。
【請求項１３】
前記複数の画素の各々は、前記光電変換部から前記電荷を排出するオーバーフロートランジスタをさらに有し、
前記開始時刻に、前記複数の画素の前記オーバーフロートランジスタが同時にオンからオフになる
ことを特徴とする請求項１１に記載の撮像装置。
【請求項１４】
前記終了時刻に、前記複数の画素の前記第１の転送トランジスタが同時にオンからオフになる
ことを特徴とする請求項１１乃至１３のいずれか１項に記載の撮像装置。
【請求項１５】
入射光に応じて電荷を生成する光電変換部と、前記電荷を保持する保持部と、前記電荷に基づく信号を出力する増幅トランジスタと、前記光電変換部から前記保持部に前記電荷を転送する第１の転送トランジスタと、前記保持部から前記増幅トランジスタに前記電荷を転送する第２の転送トランジスタとを各々が有する、複数の画素を有し、
動画を構成する複数の画像を取得する複数のフレーム期間の各々は、電荷の蓄積が行われる露光期間を含み、
前記複数のフレーム期間のうちの、長さが同一でかつ連続する２つのフレーム期間において、前記露光期間の長さが互いに異なり、かつ、前記露光期間の開始時刻と終了時刻との中間の時刻の間隔がフレーム期間の長さと同一である
ことを特徴とする撮像装置。
【請求項１６】
請求項１乃至１５のいずれか１項に記載の撮像装置と、
前記撮像装置から出力される信号を処理する信号処理部と
を有する撮像システム。
【請求項１７】
入射光に応じて電荷を生成する光電変換部と、前記電荷を保持する保持部と、前記電荷に基づく信号を出力する増幅トランジスタと、前記光電変換部から前記保持部に前記電荷を転送する第１の転送トランジスタと、前記保持部から前記増幅トランジスタに前記電荷を転送する第２の転送トランジスタとを各々が有する、複数の画素を有する撮像装置の駆動方法であって、
動画を構成する複数の画像を取得する複数のフレーム期間のうちの第１のフレーム期間において、第１の露光期間に生じた電荷を蓄積し、
前記第１のフレーム期間の次の第２のフレーム期間において、前記第１の露光期間とは期間の長さが異なる第２の露光期間に生じた電荷を蓄積し、
前記第１の露光期間の時間重心と前記第２の露光期間の時間重心との間隔と、前記第１のフレーム期間の時間重心と第２のフレーム期間の時間重心の間隔とは等しい
ことを特徴とする撮像装置の駆動方法。